(57)【要約】【課題】意図する画像を容易に撮影する。【解決手段】正面振動パネル３９及び背面振動パネル４９のいずれか一方へのユーザによる接触が検知されると、他方の（未接触の）正面振動パネル３９または背面振動パネル４９に振動を与える。正面振動パネル３９及び背面振動パネル４９へのユーザによる接触が検知されると、接触が検知された時点で撮影処理が実行される。このため、撮影処理時には正面振動パネル３９及び背面振動パネル４９がユーザによって保持された状態となり、撮影指示時点における携帯端末１０のぶれを回避することができる。【選択図】  図１
2004297251.tif 000002
【特許請求の範囲】
【請求項１】
被写体を撮影するための撮影手段を備えた携帯端末であって、
撮影を実行する指示入力を行うための第１のタッチパネルと、
前記第１のタッチパネルと対向した位置に設けられた第２のタッチパネルと、
前記第１のタッチパネル及び前記第２のタッチパネルの少なくとも一方へ、振動を与える振動発生手段と、
前記第１のタッチパネルまたは前記第２のタッチパネルの何れか一方が接触されたことを検知したときに、他方の前記第１のタッチパネルまたは前記第２のタッチパネルへ振動を与えるための駆動信号を前記振動発生手段へ出力且つ、前記第１のタッチパネル及び前記第２のタッチパネルが共に接触されたときに、被写体を撮影するための撮影実行信号を前記撮影手段に出力する制御手段と、
を備えたことを特徴とする携帯端末。
【請求項２】
前記制御手段は、前記撮影手段による撮影時に更に振動を与えるための撮影時信号を前記振動発生手段へ出力することを特徴とする請求項１に記載の携帯端末。
【請求項３】
前記振動発生手段は、振動の周波数を設定する周波数変更手段を備え、前記制御手段は、前記振動の周波数を表す周波数設定信号を含んだ信号を出力することを特徴とする請求項１または請求項２に記載の携帯端末。
【請求項４】
前記振動発生手段は、周囲の音声により生じる前記第１のタッチパネル及び前記第２のタッチパネルの少なくとも一方の音声信号を出力する音声検知手段を含み、前記制御手段は、前記音声検知手段の音声信号の入力と前記振動を与える駆動信号の出力のいずれか一方が有効になるように更に制御することを特徴とする請求項１乃至請求項３の何れか１項に記載の携帯端末。
【請求項５】
画像を表示するための表示手段を、前記第１のタッチパネル及び前記第２のタッチパネルの少なくとも一方のタッチパネルに積層したことを特徴とする請求項１乃至請求項４の何れか１項に記載の携帯端末。
【請求項６】
被写体を撮影するための撮影手段を備えた携帯端末であって、
撮影を実行する指示入力を行うためのタッチパネルと、
前記タッチパネルへ振動を与える振動発生手段と、
前記タッチパネルが接触されたことを検知したときに、被写体を撮影するための撮影実行信号を前記撮影手段に出力すると共に、前記撮影手段による撮影時にタッチパネルへ振動を与えるための駆動信号を前記振動発生手段へ出力する制御手段と、
を備えたことを特徴とする携帯端末。
【請求項７】
被写体を撮影するための撮影手段を備えた携帯端末であって、
撮影を実行する指示入力を行うためのタッチパネルと、
前記タッチパネルへ振動を与える振動発生手段と、
前記タッチパネルが接触されたことを検知したときの被写体を撮影するための撮影実行信号を前記撮影手段に出力する出力手段と、
前記撮影手段による撮影後にタッチパネルへ振動を与えるための駆動信号を前記振動発生手段へ出力する制御手段と、
を備えたことを特徴とする請求項６に記載の携帯端末。
【発明の詳細な説明】
【０００１】
【発明の属する技術分野】
本発明は、携帯端末に係り、特に、被写体を撮影するための撮影機能を備えた携帯端末に関する。
【０００２】
【従来の技術】
近年、撮像素子やその周辺回路を含む撮像装置の小型化によって、デジタルカメラの小型化が進んでおり、様々な電子機器にデジタルカメラが組み込まれている。例えば、携帯電話やＰＤＡ（Ｐｅｒｓｏｎａｌ  Ｄｉｇｉｔａｌ  Ａｓｓｉｓｔａｎｔｓ）のような携帯端末にデジタルカメラが組み込まれた製品が商品化されている。このような携帯端末による撮影は、電気的に行われており、シャッタ機構などのメカ的な動作を伴わずに撮影対象の画像を得ることができる。
【０００３】
しかし、メカ的な動作を伴わずに撮影がなされると、シャッタ音などの感覚的な、撮影完了の状態をユーザに対して知らせることができない。このため、シャッタ押圧にも拘わらず未撮影であったり、撮影の完了に気づかずに携帯端末を動かしたことによるてぶれ等によって、意図しない画像が撮影されたりすることがあった。これを解決するために、撮影完了後にレリーズスイッチを振動させる技術が知られている（例えば、特許文献１参照）。この技術によれば、ユーザは撮影処理時に操作したレリーズスイッチの振動によって、撮影完了を認識することができる。
【０００４】
また操作部分を振動させる他の技術としては、携帯端末に設けられた操作入力のためのタッチパネルや操作キーに操作入力を検知する検知機構と操作入力部を振動する振動機構とを設けて、検知機構によってタッチパネルや操作キーによって操作入力の受け付けを検知したときに、振動機構を振動させることによって、操作入力が携帯端末側で受け付けられたことをユーザに対して報知する技術が知られている（例えば、特許文献２参照）。
【０００５】
【特許文献１】
特開２０００−２０９６４７公報  （第１図、第６頁）
【特許文献２】
特開２００２−１４９３１２公報  （第２図、第３３頁―第３４頁）
【０００６】
【発明が解決しようとする課題】
しかしながら、従来の技術では、撮影完了時にレリーズスイッチを振動させたり、操作入力時に振動させたりしてユーザに報知しているが、撮影を開始する以前には報知していないため、撮影指示と同時にその指示時点における携帯端末のぶれを回避することが困難であった。
【０００７】
本発明は、上記事実を考慮してなされたものであり、意図する画像を容易に撮影することが可能な携帯端末を提供することを目的とする。
【０００８】
【課題を解決するための手段】
上記目的を達成するための本発明の携帯端末は、被写体を撮影するための撮影手段を備えた携帯端末であって、撮影を実行する指示入力を行うための第１のタッチパネルと、前記第１のタッチパネルと対向した位置に設けられた第２のタッチパネルと、前記第１のタッチパネル及び前記第２のタッチパネルの少なくとも一方へ、振動を与える振動発生手段と、前記第１のタッチパネルまたは前記第２のタッチパネルの何れか一方が接触されたことを検知したときに、他方の前記第１のタッチパネルまたは前記第２のタッチパネルへ振動を与えるための駆動信号を前記振動発生手段へ出力且つ、前記第１のタッチパネル及び前記第２のタッチパネルが共に接触されたときに、被写体を撮影するための撮影実行信号を前記撮影手段に出力する制御手段と、を備えることを特徴としている。
【０００９】
本発明の携帯端末は、被写体を撮影するための撮影手段を備えており、撮影を実行する指示入力を行うための第１のタッチパネル及び第２のタッチパネルを備えている。第１のタッチパネル及び第２のタッチパネルは、接触により加わる圧力や静電気等を検知することにより指示入力を検知するものである。第１のタッチパネルと第２のタッチパネルとは互いに対向する位置に設けられている。このため、第１のタッチパネル及び第２のタッチパネルが、ユーザにより接触された状態となると、携帯端末は、ユーザによって保持された状態となる。振動発生手段は、第１のタッチパネル及び第２のタッチパネルの少なくとも一方へ振動を与えるためのものである。
【００１０】
第１のタッチパネルまたは第２のタッチパネルの何れか一方への接触が検知されると、制御手段は、駆動信号を振動発生手段へ出力する。この駆動信号は、他方の、すなわち未接触の第１のタッチパネルまたは第２のタッチパネルへ振動を与えるためのものである。振動発生手段は、駆動信号に応じた信号を未接触の第１のタッチパネルまたは第２のタッチパネルへ伝えると、未接触の第１のタッチパネルまたは第２のタッチパネルは振動する。
【００１１】
第１のタッチパネル及び第２のタッチパネルが共に接触されると、制御手段は、被写体を撮影するための撮影実行信号を撮影手段に出力する。撮影実行信号が出力されると、撮影手段は、被写体の撮影処理を開始する。
【００１２】
第１のタッチパネル及び第２のタッチパネルが共に接触されたときに、撮影が実行されるので、撮影実行時の携帯端末は、第１のタッチパネル及び第２のタッチパネルによって保持された状態となる。
【００１３】
従って、撮影処理時に携帯端末が固定され、第１のタッチパネル及び第２のタッチパネルの双方が接触された時点で撮影が実行されるので、撮影実行時に発生するてぶれを抑制することができ、意図する画像を容易に撮影することができる。また、未接触の第１のタッチパネルまたは第２のタッチパネルに振動を与えるので、ユーザに対して第１のタッチパネルまたは第２のタッチパネル双方への接触を促すことができる。また、ユーザによって接触される第１のタッチパネルまたは第２のタッチパネル自体が振動するので、ユーザに対して確実な感覚を提供することができる。
【００１４】
前記制御手段は、前記撮影手段による撮影時に更に振動を与えるための撮影時信号を前記振動発生手段へ出力することができる。
【００１５】
携帯端末に備えられた撮影手段は、音を発生することなく被写体を撮影することができるようになっており、撮影の完了をユーザに対して明確に提示することは難しい。本発明の携帯端末の制御手段は、撮影手段による撮影完了時に更に振動を与えるための撮影時信号を振動発生手段へ出力することができる。振動発生手段は、背敦指示信号に応じた振動を第１のタッチパネルまたは第２のタッチパネルの双方またはいずれか一方に与える。このため、第１のタッチパネルまたは第２のタッチパネルの双方、または何れか一方は振動する。
【００１６】
従って、携帯端末の撮影処理が完了したことを、第１のタッチパネル及び第２のタッチパネルの振動によってユーザに対して報知することができる。
【００１７】
前記振動発生手段は、振動の周波数を設定する周波数変更手段を備えることができ、前記制御手段は、前記振動の周波数を表す周波数設定信号を含んだ信号を出力することができる。
【００１８】
振動発生手段は、周波数変更手段を備えることができ、振動発生手段から第１のタッチパネルまたは第２のタッチパネルへ与える振動の周波数を設定することができる。制御手段は、振動の周波数を表す周波数設定信号を含む信号を振動発生手段へ出力する。振動発生手段は、第１のタッチパネルまたは第２のタッチパネルの少なくとも一方へ、設定された周波数の振動を与える。
【００１９】
例えば、可聴音として認識されない低周波数の振動が設定されると、振動発生手段は、設定された低周波数の振動を第１のタッチパネルまたは第２のタッチパネルへ与える。これにより、第１のタッチパネルまたは第２のタッチパネルは、音声を出力せずに振動する。一方、可聴音として認識可能な周波数の振動が設定されると、振動発生手段から設定した周波数の振動を第１のタッチパネルまたは第２のタッチパネルに与える。これにより、第１のタッチパネルまたは第２のタッチパネルでは、音声が出力される。
【００２０】
このように、振動の周波数を変更し、第１のタッチパネル及び第２のタッチパネルへ適宜異なる周波数の振動を与えることができる。このため、周波数の設定値によって、第１のタッチパネルまたは第２のタッチパネルへ様々な種類の振動を与えることができるとともに、音声を出力するスピーカとして機能するように制御することができる。
【００２１】
前記振動発生手段は、周囲の音声により生じる前記第１のタッチパネル及び前記第２のタッチパネルの少なくとも一方の音声信号を出力する音声検知手段を含むことができ、前記制御手段は、前記音声検知手段の音声信号の入力と前記振動を与える駆動信号の出力のいずれか一方が有効になるように更に制御することができる。
【００２２】
振動発生手段は、音声検知手段を含むことができる。音声検知手段は、第１のタッチパネル及び第２のタッチパネルの周囲の音声により発生した振動を音声信号として検知することができる。このため、音声検知手段によって、第１のタッチパネル及び第２のタッチパネルは、音声を入力するマイクとして機能するように制御することができる。
【００２３】
制御手段は、音声検知手段から出力される音声信号の入力と、振動発生手段への駆動信号の出力とのいずれか一方が有効になるように制御することができる。制御手段は、音声検知手段から出力される音声信号の入力が有効になるようにスイッチの切替等によって制御すると、第１のタッチパネルまたは第２のタッチパネルから音声信号を入力することができる。このとき、第１のタッチパネルまたは第２のタッチパネルは、音声を入力するマイクとして機能することができる。
【００２４】
一方、制御手段は、振動発生手段への駆動信号の出力が有効になるようにスイッチの切替等により制御すると、第１のタッチパネルまたは第２のタッチパネルへ振動を与えることができる。このとき、第１のタッチパネルまたは第２のタッチパネルへ与える振動の周波数を変更することにより、第１のタッチパネルまたは第２のタッチパネルは、振動を発生する振動板として機能、音声を出力するスピーカとして機能することが可能となる。
【００２５】
すなわち、第１のタッチパネル及び第２のタッチパネルは、各々音声を入力するマイクとしての機能、及び音声信号を出力するスピーカとしての機能または自身が振動する振動板としての機能を備えることができ、制御手段の制御によってこれらの機能が選択的に有効となるように切り替えられる。このため、例えば、制御手段は、入力する音声の明瞭度を高くすることが要求される方向に設けられた第１のタッチパネルまたは第２のタッチパネルの何れか一方を、マイクとして選択的に機能するように制御することができる。また、制御手段は、出力する音声の明瞭度を高くすることが要求される方向に設けられた第１のタッチパネルまたは第２のタッチパネルの何れか一方を、スピーカとして選択的に機能するように制御することができる。また、制御手段は、第１のタッチパネルと第２のタッチパネル双方をマイクとして機能するように制御、スピーカとして機能するように制御、または振動板として機能するように生後ｙすることができる。
【００２６】
画像を表示するための表示手段を、前記第１のタッチパネル及び前記第２のタッチパネルの少なくとも一方のタッチパネルに積層することができる。
【００２７】
本発明の携帯端末は、撮像によって得られた画像等を表示する表示手段を第１のタッチパネル及び第２のタッチパネルの少なくとも一方のタッチパネルに積層することができるので、スピーカ、マイク、及び振動出力のための装置を携帯端末に搭別途載する必要はなく、携帯端末の小型化に寄与することができる。
【００２８】
本発明の携帯端末は、被写体を撮影するための撮影手段を備えた携帯端末であって、撮影を実行する指示入力を行うためのタッチパネルと、前記タッチパネルへ振動を与える振動発生手段と、前記タッチパネルが接触されたことを検知したときに、被写体を撮影するための撮影実行信号を前記撮影手段に出力すると共に、前記撮影手段による撮影時にタッチパネルへ振動を与えるための駆動信号を前記振動発生手段へ出力する制御手段と、を備えることができる。
【００２９】
本発明の携帯端末は、被写体を撮影するための撮影手段を備えており、撮影を実行する指示入力を行うためのタッチパネルを備えることができる。タッチパネルは、接触により加わる圧力や静電気等を検知することにより指示入力を検知するものである。振動発生手段は、タッチパネルへ振動を与えるためのものである。
【００３０】
タッチパネルへの接触が検知されると、制御手段は、被写体を撮影するための撮影実行信号を撮影手段に出力する。撮影実行信号が出力されると、撮影手段は、被写体の撮影処理を開始する。また、タッチパネルへの接触が検知されると、制御手段は、撮影手段による撮影時にタッチパネルへ振動を与えるための駆動信号を振動発生手段へ出力する。振動発生手段は、駆動信号に応じた信号をタッチパネルへ伝えると、タッチパネルは振動する。
【００３１】
従って、タッチパネルが接触されると撮影が実行されるとともに、撮影時にタッチパネルが震動するので、震動により撮影の実行をユーザに対して報知することができる。
【００３２】
請求項６に記載の携帯端末は、被写体を撮影するための撮影手段を備えた携帯端末であって、撮影を実行する指示入力を行うためのタッチパネルと、前記タッチパネルへ振動を与える振動発生手段と、前記タッチパネルが接触されたことを検知したときの被写体を撮影するための撮影実行信号を前記撮影手段に出力する出力手段と、前記撮影手段による撮影後にタッチパネルへ振動を与えるための駆動信号を前記振動発生手段へ出力する制御手段と、を備えることができる。
【００３３】
請求項６に記載の携帯端末は、タッチパネルへの接触が検知されると、出力手段は、被写体を撮影するための撮影実行信号を撮影手段に出力する。撮影実行信号が出力されると、撮影手段は、被写体の撮影処理を開始する。制御手段は、撮影手段による撮影後にタッチパネルへ振動を与えるための駆動信号を振動発生手段へ出力する。振動発生手段は、駆動信号に応じた信号をタッチパネルへ伝えると、タッチパネルは振動する。
【００３４】
従って、タッチパネルが接触されると撮影が実行されるとともに、撮影後にタッチパネルが震動するので、震動により撮影の終了をユーザに対して報知することができる
【００３５】
【発明の実施の形態】
［第１の実施の形態］
以下、図面を参照して本発明の実施の形態の一例を詳細に説明する。
【００３６】
図１には、本実施の形態に係る携帯端末１０の主要構成をブロック図として示した。携帯端末１０は、ＣＣＤ（Ｃｈａｒｇｅ  Ｃｏｕｐｌｅｄ  Ｄｅｖｉｃｅ）１２を有している。ＣＣＤ１２は、レンズ１４により得られる被写体からの反射光を撮影画像を示すアナログ画像データ（以下、画像データという）に変換して出力するためのものである。また、携帯端末１０は、制御部１６を備えており、制御部１６は、図示を省略したＣＰＵ、ＲＯＭ、及びＲＡＭからなるマイクロコンピュータを含んで構成されている。この制御部１６には、バス２７が接続されている。
【００３７】
バス２７には、記憶部１８、通信部２０、正面入出力部２２、背面入出力部２４、及びスイッチ２６が接続されている。制御部１６は、上記ＣＣＤ１２、記憶部１８、通信部２０、正面入出力部２２、背面入出力部２４、及びスイッチ２６の各々とバス２７を介して互いにデータやコマンドの授受が可能な構成とされている。
【００３８】
記憶部１８は、主に、撮影によって得られた静止画像データ、動画像データを含む各種データや後述する処理ルーチン等を記憶するためのものである。
【００３９】
通信部２０は、電話回線を介して音声データを外部と通信するための通信インターフェースである。
【００４０】
スイッチ２６は、各種指示入力を行うためのものであり、本実施の形態では、スイッチ２６として撮影ボタン２８、静止画ボタン３２、動画ボタン３４、自分撮りボタン３６、電話ボタン３０、図示を省略したテンキー、及び図示を省略した上下矢印キーを含んだ構成を採用している。撮影ボタン２８は、撮影モードを指示する際にユーザによって操作されるものである。
【００４１】
本実施の形態では、携帯端末１０は、撮影モードとして、静止画撮影を行う静止画撮影モード、動画撮影を行う動画撮影モード、及びユーザ（撮影者）自身を撮影する自分撮りモードを備えている。静止画ボタン３２は、静止画撮影モードに切り替えるときにユーザによって操作されるものである。動画ボタン３４は、動画撮影モードに切り替えるときにユーザによって操作されるものである。自分撮りボタン３６は、自分撮りモードに切り替えるときにユーザによって操作されるものである。電話ボタン３０は、ユーザによって外部と電話回線を介して音声データの相互通信を行う電話モードに切り替えるときに操作されるものである。
【００４２】
正面入出力部２２は、正面駆動部３８、正面押圧検知部４０、及び正面ＬＣＤ４２を含んで構成される。
【００４３】
正面駆動部３８は、制御部１６から入力された正面振動パネル３９へ振動を与えるための駆動信号により、正面振動パネル３９へ振動を与えるためのものである（詳細後述）。また、正面駆動部３８は、周囲の音声により正面振動パネル３９を介して入力された音声信号を制御部１６へ出力するためのものである（詳細後述）。正面押圧検知部４０は、ユーザによる正面振動パネル３９への接触を検知するためのものである。正面ＬＣＤ４２は、撮影によって得られた静止画像や動画像を含む各種情報や操作指示のためのメニュー項目等を表示するためのものである。正面ＬＣＤ４２の一例には、液晶表示装置、ＥＬ素子、及び電子ペーパー等がある。なお、本実施の形態では、正面ＬＣＤ４２には液晶表示装置を用いるものとして説明する。
【００４４】
背面入出力部２４は、背面駆動部４４、背面押圧検知部４６、背面振動パネル４９、及び背面ＬＣＤ４８を含んで構成される。背面入出力部２４は、正面入出力部２２と略同一の構成であるため、説明を省略する。
【００４５】
図２には、正面入出力部２２の構造を示すイメージ図の一例を示した。
【００４６】
正面入出力部２２は、正面ＬＣＤ４２に正面振動パネル３９が積層された構成となっている。正面振動パネル３９は、正面ＬＣＤ４２に一対の透明基板６０、６２が空隙をもって積層された構成となっている。透明基板６０の一部には、空隙が設けられており、音響ポート６４を介して正面駆動部３８に接続されている。透明基板６２は、正面駆動部３８に入力された駆動信号に応じた振動（詳細後述）や、周囲の音声により生じる振動及びユーザによる押圧操作により、板面に対して垂直方向Ｚに振動可能に設けられている。
【００４７】
透明基板６０及び透明基板６２は、各々電極４１を兼ねて構成されている。透明基板６２が垂直方向Ｚに押圧操作されると、透明基板６０及び透明基板６２各々に設けられた電極４１の一部が接触し、ユーザによる正面振動パネル３９への接触検知を示す信号がケーブルを介して正面押圧検知部４０に出力される。これにより、正面振動パネル３９は、ユーザによる正面振動パネル３９への接触を検知するタッチパネルとしての機能を有する。
【００４８】
正面駆動部３８は、電力供給回路７６、発生電力検出回路７８、スイッチ７４、制御回路８０、及びアクチュエータ６６から構成されている。アクチュエータ６６は、スイッチ７４を介して、電力供給回路７６及び発生電力検出回路７８に接続可能とされている。電力供給回路７６及び発生電力検出回路７８は、制御回路８０に接続されている。制御回路８０は、スイッチ７４に接続されている。
【００４９】
アクチュエータ６６は、振動板６８及び永久磁石により構成されるマグネット７０を含んで構成されている。振動板６８は、正面振動パネル３９の振動による正面振動パネル３９内の空気の振動及びマグネット７０に印可された駆動信号によって、垂直方向Ｚに振動可能に設けられている。
【００５０】
スイッチ７４は、スイッチ７５及びスイッチ７７から構成されている。スイッチ７５及びスイッチ７７は、制御端子７４Ｇに接触信号が入力されることにより、スイッチ７５及びスイッチ７７の双方が一方側から他方側へ切り替わる構成である。具体的には、スイッチ７５及びスイッチ７７の切り替わりによって、アクチュエータ６６と電力供給回路７６との接続側と、アクチュエータ６６と発生電力検出回路７８との接続側と、に切り替わる。
【００５１】
電力供給回路７６は、スイッチ７４及びアクチュエータ６６を介して、正面振動パネル３９へ振動を与えるためのものである。具体的には、電力供給回路７６からアクチュエータ６６に駆動信号を印可すると、マグネット７０に駆動信号が印可され、振動板６８が略垂直方向Ｚに振動する。この振動板６８の振動により、音響ポート６４を介して正面振動パネル３９の空隙内の空気が振動し、この空気の振動によって間接的に透明基板６２が振動する。
【００５２】
また、電力供給回路７６は、正面振動パネル３９へ与える振動の周波数を設定する設定機能を含んでおり、制御回路８０から入力された周波数の設定信号に応じた周波数の振動を、正面振動パネル３９へ与えることができるようになっている。
【００５３】
発生電力検出回路７８は、周囲の音声により生じた正面振動パネル３９の振動を、アクチュエータ６６を介して音声信号として検知し、制御回路８０へ出力するためのものである。具体的には、周囲の音声により透明基板６２が振動すると、透明基板６２の振動により、振動パネル３９の空隙内の空気を介して間接的に振動板６８が振動する。この振動板６８の振動によりマグネット７０で発生した起電力は、スイッチ７４を介して発生電力検出回路７８へ入力される。この入力された起電力を発生電力検出回路７８で音声信号として検知し、音声信号を制御回路８０へ出力する。
【００５４】
図３には、背面入出力部２４の構造を示すイメージ図の一例を示した。
【００５５】
背面入出力部２４は、正面入出力部２２と同様に、背面ＬＣＤ４８に背面振動パネル４９が積層された構成となっている。背面ＬＣＤ４８の一例には、液晶表示装置、ＥＬ素子、及び電子ペーパー等がある。なお、本実施の形態では、背面ＬＣＤ４８には液晶表示装置を用いるものとして説明する。背面振動パネル４９は、背面ＬＣＤ４８に一対の透明基板８２、８４が空隙をもって積層された構成となっている。透明基板８２の一部には、空隙が設けられており、音響ポート８６を介して背面駆動部４４に接続されている。透明基板８２及び透明基板８４には、各々電極４７が設けられている。
【００５６】
背面駆動部４４は、電力供給回路９６、発生電力検出回路９７、スイッチ９５、制御回路９８、及びアクチュエータ８８から構成されている。アクチュエータ８８は、略垂直方向Ｚに振動可能な振動板９０及びマグネット９２から構成されている。スイッチ９５は、スイッチ９３、スイッチ９４、及び制御端子９５Ｇから構成されている。なお、背面駆動部４４は、正面駆動部３８と同一の構成及び機能を有するため、符号のみを示し、詳細な説明を省略する。
【００５７】
本実施の形態の正面入出力部２２において、２０Ｈｚ以下の周波数の振動を電力供給回路７６からアクチュエータ６６に印可したところ、音声（可聴音）は認識されず、正面振動パネル３９が振動した。また、２０Ｈｚ以上の周波数の振動をアクチュエータ６６に印可したところ、正面振動パネル３９から音声（可聴音）が出力された。また、背面入出力部２４についても、同様の結果が得られた。
【００５８】
このため、本実施の形態では、制御部１６の制御により、周波数２０Ｈｚを既定周波数とし、既定周波数以上（例えば、１００Ｈｚ）及び既定周波数以下（例えば１０Ｈｚ）の２種の周波数を示す周波数設定信号を電力供給回路７６に出力するものとして説明する。すなわち、電力供給回路７６から既定周波数以下の振動を正面振動パネル３９に与えることにより、正面振動パネル３９は、音声を出力するスピーカとして機能する。また、電力供給回路７６から既定周波数以上の振動を正面振動パネル３９に与えるることにより、正面振動パネル３９は、自身が振動する振動板として機能する。また、制御部１６の制御によるスイッチ７４の切り替えにより、正面振動パネル３９は、周囲の音声により生じた正面振動パネル３９の振動を、アクチュエータ６６を介して音声信号として検知し、制御回路８０へ出力するマイクとして機能する。
【００５９】
なお、背面入出力部２４についても同様に、既定周波数２０Ｈｚを用意する。このため、背面振動パネル４９は、正面振動パネル３９と同様に、与えられる周波数の変更によりスピーカ、または振動板として機能、あるいはスイッチ９５の切り替えによってマイクとして機能する。
【００６０】
なお、本実施の形態では、可聴周波数と不可聴周波数との境界としての既定周波数として２０Ｈｚを設定する場合を説明するが、周波数の値は正面駆動部３８及び背面駆動部４４の構成によって可変であるため、２０Ｈｚに限られるものではない。
【００６１】
なお、正面入出力部２２及び背面入出力部２４の構成は、上記図２及び図３に示す構成に限定されるものではない。すなわち、タッチパネルとしての機能、画像を表示する機能及びマイクとしての機能、及び震動や音声を発生する機能を有し、且つ音声、震動及び画像の入出力領域の少なくとも一部が同一領域を有するまたは少なくとも一部が互いに積層された構成であれば、どのような構成を採用してもよい。また、正面駆動部３８及び背面駆動部４４の構成についても、周波数の変更によって音声及び振動の出力を変更可能であり、且つ切り替え制御により、音声を出力するスピーカまたは震動する震動板、及び音声を入力するマイクとして機能する構成であれば、どのような構成を採用してもよい。
【００６２】
なお、透明基板６２は、透明且つ柔軟性を有するＰＥＴ等の素材を使用するものとして説明する。このため、ユーザによる振動パネル３９への接触により透明基板６２の一部が透明基板６０に接触された場合であっても、透明基板６２の非接触部分が振動し、全体の振動の低下や、音量の低下を抑制することができるものとして説明する。なお、透明基板８４についても同様の特性を有するものとする。
【００６３】
また、透明基板６０、及び透明基板６２は、透明であり、正面振動パネル３９の背部に設けられた正面ＬＣＤ４２に表示される画像の視認を妨げることがないものとして説明する。
【００６４】
また、透明基板８４及び透明基板８６についても同様に、背面ＬＣＤ４８に表示される画像の視認を妨げることがないものとして説明する。
【００６５】
なお、本実施の形態の携帯端末１０の正面振動パネル３９及び正面押圧検知部４９は本発明の第１のタッチパネルに相当し、背面振動パネル４９及び背面押圧検知部４６は本発明の第２のタッチパネルに相当する。また、電力供給回路７６及び電力供給回路９６は、本発明の振動発生手段に相当し、発生電力検出回路７８及び発生電力検出回路９７は、音声検知手段に相当する。また、正面ＬＣＤ４２及び背面ＬＣＤ４８は、本発明の表示手段に相当する。
【００６６】
図４及び図５には、各々本実施の形態の携帯端末１０の外観の略正面及び略背面からの斜視図の１例を示した。図４に示すように、携帯端末１０の筐体５０の正面には、正面入出力部２２が設けられている。また、正面入出力部２２の近傍には、スイッチ２６が設けられている。スイッチ２６は、各種指示入力を行うためのものである。本実施の形態では、スイッチ２６として、撮影ボタン２８、電話ボタン３０、静止画ボタン３２、動画ボタン３４、自分撮りボタン３６、上下矢印キー５４、及びテンキー５６が機能する。上下矢印キー５４は、正面ＬＣＤ４２または背面ＬＣＤ４８に表示された各種メニューから任意のメニュー項目を選択する際にユーザによって操作されるものである。テンキー５６は、数字等のデータを入力する際にユーザによって操作されるものである。
【００６７】
また、携帯端末１０の筐体５０の上面には、外部と通信するためのアンテナ５２が設けられており、通信部２０として機能する。
【００６８】
図５に示すように、携帯端末１０の筐体５０の背面には、被写体像を結像させるためのレンズ１４が設けられている。また、レンズ１４の近傍には、背面入出力部２４が設けられている。なお、背面入出力部２４は、操作性や背面ＬＣＤ４８の表示の迅速性を考慮するとサムネイル画を表示できる程度の大きさであればよい。
【００６９】
なお、本実施の形態では、撮影ボタン２８、電話ボタン３０、静止画ボタン３２、動画ボタン３４、自分撮りボタン３６、上下矢印キー５４、及びテンキー５６は、それぞれ独立したスイッチとして設けた場合を説明するが、これらのスイッチを１つのスイッチで機能するようにしてもよい。この場合、例えば、正面入出力部２２または背面入出力部２４に各種機能選択のための項目一覧を表示して、これらの表示された項目一覧を１つのスイッチで随時項目選択することによって、機能するようにすればよい。
【００７０】
なお、スイッチ２６は、全て正面ＬＣＤ４２または背面ＬＣＤ４８に数字、記号等の記号を表示させるべく制御し、正面振動パネル３９または背面振動パネル４９の該当位置が押圧されることによって、テンキー２６操作時と同様の信号が出力されるようにし、その出力信号を検知するようにしてもよい。
【００７１】
次に、上記実施の形態に係る携帯端末１０の作用を説明する。
【００７２】
図５には、携帯端末１０の図示を省略したＣＰＵで実行される処理ルーチンを示した。図示を省略した電源スイッチにより、携帯端末１０に電源が投入されると、ステップ１００に進み、スイッチ２６の状態を確認する。スイッチ２６の状態の確認は、図示を省略したＲＡＭに記憶されたスイッチ２６の状態を表すデータを読み取ることによって可能である。スイッチ２６の状態としては、電話ボタン３０がユーザによって押圧操作された状態、撮影ボタン２８がユーザによって押圧操作された状態、撮影ボタン２８が押圧操作された後に静止画ボタン３２が押圧操作された状態、撮影ボタン２８が押圧操作された後に動画ボタン３４が押圧操作された状態、及び撮影ボタン２８が押圧操作された後に自分撮りボタン３６が押圧操作された状態がある。これらの状態を表すデータは、電源が投入された後に、各スイッチ２６がユーザによって押圧操作されることによって入力される。入力されたデータは、スイッチ２６の状態を表すデータとして制御部１６の図示を省略したＲＡＭに記憶される。この図示を省略したＲＡＭに記憶されたスイッチ２６の状態を表すデータを確認することによって、スイッチ２６の状態を確認することができる。
【００７３】
次にステップ１０２では、電話モードが指示されたか否かを判断する。ステップ１０２の判断は、図示を省略したＲＡＭに記憶されたスイッチ２６の状態を表すデータが、電話ボタン３０が押圧操作された状態を示すデータであるか否かを判断することによって可能である。ステップ１０２で肯定されると、ステップ１１８へ進み、外部と電話回線を介して音声データの通信を行う通話処理（詳細後述）が行われた後に本ルーチンを終了する。
【００７４】
ステップ１０２で否定されると、ステップ１０４へ進み、撮影モードが指示されたか否かを判断する。ステップ１０４の判断は、図示を省略したＲＡＭに記憶されたスイッチ２６の状態を表すデータが、撮影ボタン２８が押圧操作された状態を示すデータであるか否かを判断することによって可能である。ステップ１０４で否定されると、本ルーチンを終了し、肯定されるとステップ１０６へ進む。
【００７５】
ステップ１０６では、静止画モードが指示されたか否かを判断する。ステップ１０６の判断は、図示を省略したＲＡＭに記憶されたスイッチ２６の状態を表すデータが、静止画ボタン３２が押圧操作された状態を示すデータであるか否かを判断することによって可能である。ステップ１０６で肯定されるとステップ１０８へ進み、静止画を撮影する静止画撮影処理が実行された（詳細後述）後に、本ルーチンを終了する。
【００７６】
上記ステップ１０６で否定されると、ステップ１１０へ進み、動画モードが指示されたか否かを判断する。ステップ１１０の判断は、図示を省略したＲＡＭに記憶されたスイッチ２６の状態を表すデータが、動画ボタン３４が押圧操作された状態を示すデータであるか否かを判断することによって可能である。ステップ１１０で肯定されるとステップ１１２へ進み、動画を撮影する動画撮影処理（詳細後述）が実行された後に本ルーチンを終了する。
【００７７】
上記ステップ１１０で否定されると、ステップ１１４へ進み、自分撮りモードが指示されたか否かを判断する。ステップ１１４の判断は、図示を省略したＲＡＭに記憶されたスイッチ２６の状態を表すデータが、自分撮りボタン３６が押圧操作された状態を示すデータであるか否かを判断することによって可能である。ステップ１１４で否定されると、本ルーチンを終了し、肯定されるとステップ１１６へ進み、ユーザ（撮影者）自身を撮影する自分撮り処理（詳細後述）が実行された後に本ルーチンを終了する。
【００７８】
図７には、上記ステップ１０８の静止画撮影処理の処理ルーチンを示した。
【００７９】
ステップ２００では、正面入出力部２２のスイッチ切り替え処理が実行される。ステップ２００の処理は、スイッチ７４をアクチュエータ６６と電力供給回路７６とが接続される側へ切り替えるための切り替え指示を示す信号を正面駆動部３８へ出力するものである。切り替え指示を示す信号が正面駆動部３８へ出力されると、制御回路８０の制御によって、スイッチ７４は、アクチュエータ６６と電力供給回路７６とが接続される側へ切り替えられる。これにより、正面振動パネル３９は、音声を出力するスピーカとして機能、または正面振動パネル３９が振動する振動板として機能するように切り替えられる。
【００８０】
次にステップ２０２では、背面入出力部２４のスイッチ切り替え処理が実行される。ステップ２０２の処理は、スイッチ９５をアクチュエータ８８と電力供給回路９６とが接続される側へ切り替えるための切り替え指示を示す信号を、背面駆動部４４に出力するものである。切り替え指示を示す信号が正面駆動部３８へ出力されると、制御回路８０の制御によって、スイッチ９５は、アクチュエータ８８と電力供給回路９６とが接続される側へ切り替えられる。これにより、背面振動パネル４９は、音声を出力するスピーカとして機能、または背面振動パネル４９が振動する振動板として機能するように切り替えられる。
【００８１】
次にステップ２０４では、ＣＣＤ１２による連続的な撮像によって得られた動画像（スルー画像）が正面ＬＣＤ４２に表示される。ステップ２０２の処理は、まず、被写体を撮影するときにおけるＣＣＤ１２で各種簡易調整を行って得られた撮影画像の画像データを、図示を省略したＲＡＭの所定のメモリ空間に一時的に記憶した後に正面ＬＣＤ４２へ表示する、画像データの記憶及び正面ＬＣＤ４２への表示処理を順次繰り替えすことにより、正面ＬＣＤ４２にスルー画像を表示する。
【００８２】
次にステップ２０６では、正面振動パネル３９へのユーザによる接触がなされたか否かを判断する。ステップ２０６の判断は、正面押圧検知部４０から出力される接続検知を示す信号の入力を判別することによって判断可能である。  ステップ２０６で否定されると、ステップ２０８へ進み、正面ＬＣＤ４２へ正面振動パネル３９への接触を促すメッセージを表示する表示処理が実行された後に上記ステップ２０４へ戻る。ステップ２０８の処理によって、ユーザに対して正面振動パネル３９への接触を促すことができる。
【００８３】
なお、ステップ２０８の表示処理は、正面振動パネル３９へ振動を与える振動処理、または正面振動パネル３９から正面振動パネル３９への接触を促す音声を出力する音声出力処理であってもよい。
【００８４】
正面振動パネル３９の振動処理は、既定周波数以下の周波数を示す周波数設定信号（以下、振動周波数設定信号という）を正面駆動部３８へ出力するものである。これによって、電力供給回路７６を介して既定周波数以下（本実施の形態では１０Ｈｚ）の振動がアクチュエータ６６を介して正面振動パネル３９に与えられる。これによって、正面振動パネル３９は振動する。
【００８５】
正面振動パネル３９への接触を促す音声出力処理は、既定周波数以上の周波数を示す周波数設定信号（以下、音声周波数設定信号という）と、正面振動パネル３９への接触を促す音声信号とを、背面駆動部４４へ出力するものである。これによって、電力供給回路７６を介して既定周波数以上（本実施の形態では１００Ｈｚ）の振動の音声信号がアクチュエータ６６を介して正面振動パネル３９に与えられる。これによって、正面振動パネル３９から正面振動パネル３９への接触を促す音声が出力される。
【００８６】
上記ステップ２０６で肯定されると、ステップ２１０へ進み、背面振動パネル４９の振動処理が実行される。ステップ２１０の処理は、背面駆動部４４へ振動周波数設定信号を出力するものである。これによって、電力供給回路９６を介して既定周波数以下の振動がアクチュエータ８８を介して背面振動パネル４９に与えられる。これによって、背面振動パネル４９は振動する。
【００８７】
上記ステップ２１０の処理によって、ユーザに対して携帯端末１０の背面側に設けられた背面振動パネル４９への接触を促すことができる。
【００８８】
なお、上記ステップ２１０の背面振動パネル４９の振動処理は、予め設定した所定時間の間実行されるようにしてもよい。
【００８９】
次にステップ２１２では、背面振動パネル４９へのユーザによる接触がなされたか否かを判断する。ステップ２１２の判断は、背面押圧検知部４６から出力される接触検知を示す信号の入力を判別することによって判断可能である。
【００９０】
ステップ２１２で否定されると、ステップ２１４へ進み、正面ＬＣＤ４２へ背面振動パネル４９への接触を促すメッセージを表示する表示処理が実行された後に、上記ステップ２１２へ戻る。なお、ステップ２１４の処理が実行された後、上記ステップ２１０へ戻り、背面振動パネル４９への接触が検知されるまで、背面振動パネル４９の振動処理が継続されるようにしてもよい。
【００９１】
ステップ２１４の処理によって、ユーザに対して背面振動パネル４９への接触を更に促すことができる。
【００９２】
なお、ステップ２１４の処理は、上記ステップ２０８の処理と同様に、正面振動パネル３９から背面振動パネル４９への接触を促す音声を出力する音声出力処理であってもよい。
【００９３】
なお、本実施の形態では、上記ステップ２０６及びステップ２０８の処理で正面振動パネル３９へのユーザによる接触を検知した後に、ステップ２１０において背面振動パネル４９の振動処理が実行され、次にステップ２１２及びステップ２１４の処理で背面振動パネル４９へのユーザの接触を検知する場合を説明したが、上記ステップ２１２及びステップ２１４の処理が実行された後に、上記ステップ２１０、ステップ２０６、及びステップ２０８の処理が実行されるようにしてもよい。この場合、上記ステップ２１０の処理では、上記ステップ２０８と同様に正面振動パネル３９の振動処理が実行されるようにすればよい。
【００９４】
次にステップ２１６では、静止画撮影処理が実行される。ステップ２１２の処理は、被写体を撮影するときにおけるＣＣＤ１２で各種簡易調整を行うことによって得られた撮影画像の画像データを、図示を省略したＲＡＭの撮影画像を記憶するためのメモリ領域に記憶するものである。
【００９５】
なお、上記ステップ２１０の背面振動パネル４９の振動処理は、上記ステップ２１６における静止画撮影処理実行中も継続されるようにしてもよい。また、このとき正面震動パネル３９を震動させるようにしてもよく、正面震動パネル３９及び背面震動パネル４９双方を震動させるようにしてもよい。
上記ステップ２１６の静止画撮影実行中に正面震動パネル３９及び背面震動パネル４９の双方または何れか一方を震動させることにより、得られる撮影画像にソフトフォーカス効果を付与することもできる。
【００９６】
次にステップ２１８では、正面振動パネル３９の振動処理が実行される。ステップ２１８の処理は、正面駆動部３８へ振動周波数設定信号を出力するものである。ステップ２１８の処理によって、電力供給回路７６を介して既定周波数以下の振動がアクチュエータ６６を介して正面振動パネル３９に与えられる。これによって、正面振動パネル３９は振動し、撮影が実行されたことをユーザに対して振動により報知することができる。
【００９７】
なお、この正面振動パネル３９の振動処理では、予め設定した所定時間の間、正面振動パネル３９を振動するようにしてもよく、また、この設定した時間は、ユーザのスイッチ２６の操作入力により変更可能としてもよい。
【００９８】
また、上記ステップ２１８の処理は、正面振動パネル３９から撮影が終了したことを示す音声を出力する音声出力処理であってもよい。
【００９９】
なお、上記ステップ２１８では、正面振動パネル３９の振動処理が実行される場合を説明したが、背面振動パネル４９の振動処理が実行されるようにしてもよい。この場合、上記ステップ２１０と同様の処理を行うことによって、背面振動パネル４９またはが振動する。また、正面振動パネル３９及び背面震動パネル４９双方の震動処理が実行されるようにしてもよい。
【０１００】
次にステップ２２０では、上記ステップ２１６の撮影処理によって、図示を省略したＲＡＭの撮影画像を記憶するための所定のメモリ領域に記憶された画像データを、記憶部１８へ記憶した後に本ルーチンを終了する。
【０１０１】
なお、上記ステップ２２０の記憶処理は、正面ＬＣＤ４２に撮影によって得られた画像データの画像を表示し、ユーザによる予め定められたスイッチ２６の押圧による記憶指示の入力を判別することによって、実行されるようにしてもよい。
【０１０２】
なお、上記説明では、ステップ２０８、ステップ２１０、及びステップ２１４の処理により、正面振動パネル３９及び背面振動パネル４９双方に振動を与える場合を説明したが、正面振動パネル３９及び背面振動パネル４９のいずれか一方のみに振動を与えるようにしてもよい。
【０１０３】
また、上記説明では、上記ステップ２０６乃至ステップ２１４の処理により、正面震動パネル３９及び背面震動パネル４８への双方への接触が検知されると、ステップ２１６において静止画撮影処理が実行される場合を説明したが、正面震動パネル３９及び背面震動パネル４８何れか一方への接触が検知されることにより、ステップ２１６の静止画撮影処理が実行されるようにしてもよい。この場合、上記ステップ２０４のスルー画表示処理実行後、ステップ２０６乃至ステップ２０８の処理、またはステップ２１２及びステップ２１４の何れか一方の処理が行われた後に、ステップ２１６の静止画撮影処理が実行されるようにすればよい。
【０１０４】
このように、正面震動パネル３９及び背面震動パネル４９のいずれか一方への接触検知により撮影処理が実行されことにより、接触未検知のパネルから音声を出力する場合、出力する音声データの音のブレを抑制することができる。
【０１０５】
なお、上記ステップ２１６の処理は、本発明の撮影手段の機能に相当する。また、ステップ２００、ステップ２０２、ステップ２１０、及びステップ２１８の処理は、本発明の制御手段の機能に相当する。
【０１０６】
次に図８には、上記ステップ１１２の動画撮影処理の処理ルーチンを示した。ステップ３００では、正面入出力部２２のスイッチ切り替え処理が実行される。ステップ３００の処理は、上記ステップ２００と同様に、スイッチ７４をアクチュエータ６６と電力供給回路７６とが接続される側へ切り替えるための切り替え指示を正面駆動部３８へ出力するものである。ステップ３００の処理によって、正面振動パネル３９は、音声を出力するスピーカ、または正面振動パネル３９が振動する振動板として機能するように切り替えられる。
【０１０７】
次にステップ３０２では、背面入出力部２４のスイッチ切り替え処理が実行される。ステップ３０２の処理は、スイッチ９５をアクチュエータ８８と発生電力検出回路９７とが接続される側へ切り替えるための切り替え指示を示す信号を背面駆動部４４へ出力するものである。ステップ３０２の処理は、スイッチ９５をアクチュエータ８８と発生電力検出回路９７とが接続される側へと切り替えるための切り替え指示を示す信号を背面駆動部４４へ出力するものである。ステップ３０２の処理によって、背面振動パネル４９は、音声データを入力するマイクとして機能するように切り替えられる。
【０１０８】
次にステップ３０４では、上記ステップ２０４と同様に、ＣＣＤ１２による連続的な撮像によって得られた動画像（スルー画像）を正面ＬＣＤ４２に表示するスルー画表示処理が実行される。
【０１０９】
次にステップ３０６では、背面振動パネル４９へのユーザによる接触がなされたか否かを判断する。ステップ３０４の判断は、上記ステップ２１２の処理と同様に、背面振動パネル４９へのユーザによる接触によって入力される、背面押圧検知部４６から出力される接触検知を示す信号を判別することによって判断可能である。
【０１１０】
ステップ３０６で否定されると、ステップ３０８へ進み、正面ＬＣＤ４２へ背面振動パネル４９への接触を促すメッセージを表示する表示処理が実行された後に上記ステップ３０４へ戻る。ステップ３０８の処理によって、ユーザに対して背面振動パネル４９への接触を促すことができる。
【０１１１】
なお、ステップ３０８の表示処理は、上記ステップ２１８の処理と同様に、正面振動パネル３９を振動する振動処理、または正面振動パネル３９から背面振動パネル４９への接触を促す音声を出力する音声出力処理であってもよい。
【０１１２】
上記ステップ３０６で肯定されると、ステップ３１０へ進み、正面振動パネル３９の振動処理が実行される。ステップ３１０の処理は、上記ステップ２１８の処理と同様に正面駆動部３８に振動周波数設定信号を出力するものである。ステップ３１０の処理によって、ユーザに対して携帯端末１０の正面側に設けられた正面振動パネル３９への接触を促すことができる。
【０１１３】
なお、上記ステップ３１０の処理において、正面振動パネル３９の振動処理と同時に、正面ＬＣＤ４２に正面振動パネル３９への接触を促すメッセージを表示するようにしてもよい。
【０１１４】
次にステップ３１２では、正面振動パネル３９へのユーザによる接触がなされたか否かを判断する。ステップ３１２の判断は、正面振動パネル３９へのユーザによる接触により出力される、正面押圧検知部４０からの接触検知を示す信号を判別することによって判断可能である。
【０１１５】
ステップ３１２で否定されると、ステップ３１４へ進む。ステップ３１４では、上記ステップ２０８と同様に、正面ＬＣＤ４２へ正面振動パネル３９への接触を促すメッセージを表示する表示処理が実行された後に、ステップ３１２へ戻る。ステップ３１４の処理によって、ユーザに対して正面振動パネル３９への接触を促すことができる。
【０１１６】
なお、ステップ３１４の表示処理終了後、上記ステップ３１０へ戻り、正面振動パネル３９への接触が検知されるまで、正面振動パネル３９の振動処理が継続されるようにしてもよい。また、正面振動パネル３９から正面振動パネル３９への接触を促す音声を出力する音声出力処理であってもよい。
【０１１７】
次にステップ３１６では、動画撮影処理が実行される。ステップ３１６の処理は、被写体を撮影するときにおけるＣＣＤ１２で各種簡易調整を行って、連続的に撮影画像を得るとともに、音声信号を得るものである。音声信号は、上記ステップ３０２の処理によって、音声信号を入力するマイクとして機能するように切り替えられた背面振動パネル４９から取り込まれる。例えば、一秒間に１０フレーム分の被写体像が得られるシャッタスピード、絞り値等が設定され、フレームが連続するように撮影画像の画像データが生成される。同時に背面振動パネル４９から音声信号が取り込まれ、該画像データと共に図示を省略したＲＡＭに一時的に記憶することにより動画像データが得られる。
【０１１８】
なお、ステップ３１６の動画像撮影処理時に、背面振動パネル４９から取り込まれた音声信号を、正面振動パネル３９から出力するようにしてもよい。これにより、ユーザは、動画像撮影によって得られる音声を動画像撮影処理時に確認することができる。
【０１１９】
なお、上記ステップ３１２の正面振動パネル３９の振動処理は、上記ステップ３１６における動画撮影処理実行中も継続されるようにしてもよい。上記ステップ３１６の動画撮影実行中に正面震動パネル３９を震動させることにより、得られる動画像にソフトフォーカス効果を付与することもできる。
【０１２０】
次にステップ３１８では、動画撮影終了指示がなされたか否かを判断する。ステップ３１８の判断は、正面振動パネル３９へのユーザによる接触により入力される、正面押圧検知部４０からの信号入力が判別できなくなったことを判別することによって判断可能である。例えば、正面ＬＣＤ４２に動画撮影終了には、正面振動パネル３９への接触を回避すれば良いことを示すメッセージを表示し、ユーザに対して正面振動パネル３９からの接触回避を促す。そして、ユーザによる正面振動パネル３９の接触（押圧操作）回避がなされたときに、上記ステップ３１２で検知された正面振動パネル３９の接触検知を示す信号入力が判別できなくなったことを判断するようにすればよい。
【０１２１】
上記ステップ３０６乃至ステップ３１８の処理によって、ユーザによる正面振動パネル３９への接触がなされている間、動画撮影処理を継続することができる。
【０１２２】
次にステップ３２０では、正面振動パネル３９の振動処理が実行される。ステップ３２０の処理は、上記ステップ２１８の処理と同様に、正面駆動部３８へ振動周波数設定信号を出力するものである。ステップ３２０の処理によって、動画撮影が終了したことをユーザに対して振動により報知することができる。
【０１２３】
なお、この正面振動パネル３９の振動処理では、予め設定した所定時間の間、正面振動パネル３９を振動するようにしてもよく、また、この設定した時間は、ユーザのスイッチ２６の操作入力により変更可能としてもよい。
【０１２４】
また、上記ステップ３２０の処理は、正面振動パネル３９から撮影が終了したことを示す音声を出力する音声出力処理であってもよい。
【０１２５】
なお、上記ステップ３２０では、正面振動パネル３９の振動処理が実行される場合を説明したが、背面振動パネル４９の振動処理が実行されるようにしてもよい。この場合、上記ステップ２１０と同様の処理を行うことによって、背面振動パネル４９が振動する。
【０１２６】
次にステップ３２２では、上記ステップ３１４で図示を省略したＲＡＭに一時的に記憶した動画像データを記憶部１８へ記憶した後に、本ルーチンを終了する。
【０１２７】
なお、上記ステップ３２２の記憶処理は、正面ＬＣＤ４２に動画撮影によって得られた画像データの画像を表示し、ユーザによる予め定められたスイッチ２６の押圧による記憶指示の入力を判別することによって、実行されるようにしてもよい。
【０１２８】
また、上記説明では、上記ステップ３０６乃至ステップ３１４の処理により、正面震動パネル３９及び背面震動パネル４８への双方への接触が検知されると、ステップ３１６において動画撮影処理が実行される場合を説明したが、正面震動パネル３９及び背面震動パネル４８何れか一方への接触が検知されることにより、ステップ３１６の動画撮影処理が実行されるようにしてもよい。この場合、上記ステップ３０４のスルー画表示処理実行後、ステップ３０６乃至ステップ３０８の処理、またはステップ３１２及びステップ３１４の何れか一方の処理が行われた後に、ステップ３１６の動画撮影処理が実行されるようにすればよい。
【０１２９】
なお、上記ステップ３１６の処理は、本発明の撮影手段の機能に相当する。また、ステップ３００、ステップ３０２、ステップ３１０、及びステップ３２０の処理は、本発明の制御手段の機能に相当する。
【０１３０】
図９には、上記ステップ１１６の自分撮り処理の処理ルーチンを示した。自分撮り処理では、上記図６に示す静止画像撮影処理と略同様の処理が行われる。静止画像撮影処理と異なる主な点は、レンズ１４を撮影者であるユーザの方向に向けて撮影処理が行われるため、各種メッセージやスルー画等が背面ＬＣＤ４８へ表示される点である。
【０１３１】
ステップ４００では、上記ステップ２００と同様に、正面入出力部２２のスイッチ切り替え処理が実行される。ステップ４００の処理によって、正面振動パネル３９は、音声を出力するスピーカ、または正面振動パネル３９が振動する振動板として機能するように切り替えられる。
【０１３２】
次にステップ４０２では、上記ステップ２０２の処理と同様に、背面入出力部２４のスイッチ切り替え処理が実行される。ステップ４０２の処理によって、背面振動パネル４９は、音声を出力するスピーカ、または背面振動パネル４９が振動する振動板として機能するように切り替えられる。
【０１３３】
次にステップ４０４では、上記ステップ２０４と同様に、ＣＣＤ１２による連続的な撮像によって得られた動画像（スルー画像）が背面ＬＣＤ４８に表示される。
【０１３４】
次にステップ４０６では、上記ステップ２１２と同様に、背面振動パネル４９へのユーザによる接触がなされたか否かを判断する。
【０１３５】
ステップ４０６で否定されると、ステップ４０８へ進み、背面ＬＣＤ４８へ背面振動パネル４９への接触を促すメッセージを表示する表示処理が実行された後にステップ４０４へ戻る。ステップ４０８の処理により、ユーザに対して背面振動パネル４９への接触を促すことができる。
【０１３６】
なお、ステップ４０８の表示処理は、上記ステップ２１０の処理と同様に、背面振動パネル４９を振動する振動処理、または背面振動パネル４９から正面振動パネル３９への接触を促す音声出力処理であってもよい。
【０１３７】
上記ステップ４０６で肯定されると、ステップ４１０へ進み、上記ステップ２１８と同様に正面振動パネル３９の振動処理が実行される。このため、ユーザに対して正面振動パネル３９への接触を促すことができる。
【０１３８】
なお、ステップ４１０の処理において、正面振動パネル３９の振動処理と同時に、背面ＬＣＤ４８に正面振動パネル３９への接触を促すメッセージを表示するようにしてもよい。
【０１３９】
次にステップ４１２では、上記ステップ２０６と同様に正面振動パネル３９へのユーザによる接触がなされたか否かを判断する。ステップ４１２で否定されると、ステップ４１４へ進み、背面ＬＣＤ４８へ正面振動パネル３９への接触を促すメッセージを表示する表示処理が実行された後にステップ４１２へ戻る。ステップ４１４の処理により、ユーザに対して正面振動パネル３９への接触を促すことができる。
【０１４０】
なお、ステップ４１４の処理が実行された後に、上記ステップ４１０へ戻り、正面振動パネル３９への接触検知がなされるまで、正面振動パネル３９の振動処理が継続されるようにしてもよい。また、ステップ４１４の処理は、背面振動パネル４９から正面振動パネル３９への接触を促す音声データの出力処理であってもよい。
【０１４１】
上記ステップ４１２で肯定されるとステップ４１６へ進み、上記ステップ２１６と同様に静止画撮像処理が実行され、静止画像の画像データが図示を省略したＲＡＭの撮影画像を記憶するためのメモリ領域に記憶される。
【０１４２】
なお、上記ステップ４１０の正面振動パネル３９の振動処理は、上記ステップ４１６における静止画撮影処理実行中も継続されるようにしてもよい。また、このとき背面震動パネル３９を震動させるようにしてもよく、正面震動パネル３９及び背面震動パネル４９双方を震動させるようにしてもよい。
上記ステップ４１６の静止画撮影実行中に正面震動パネル３９及び背面震動パネル４９の双方または何れか一方を震動させることにより、得られる撮影画像にソフトフォーカス効果を付与することもできる。
【０１４３】
次にステップ４１８では、背面振動パネル４９の振動処理が実行される。ステップ４１８の処理は、上記ステップ２１０の処理と同様に、背面駆動部４４へ振動周波数設定信号を出力するものである。これによって、背面振動パネル４９は、振動し、撮影が実行されたことをユーザに対して報知することができる。
【０１４４】
なお、この背面振動パネル４９の振動処理では、予め設定した所定時間の間、背面振動パネル４９を振動するようにしてもよく、また、この設定した時間は、ユーザのスイッチ２６の操作入力により変更可能としてもよい。
【０１４５】
また、上記ステップ４１８の処理は、背面振動パネル４９から撮影が終了したことを示す音声を出力する音声出力処理であってもよい。また、正面震動パネル３９から撮影が終了したことを示す音声を出力する音声出力処理であってもよく、また正面震動パネル３９が震動するようにしてもよい。
【０１４６】
次にステップ４２０では、上記ステップ２２０と同様に、上記ステップ４１４の撮影処理によって得られた画像データを記憶部１８へ記憶した後に本ルーチンを終了する。
【０１４７】
なお、上記説明では、ステップ４０８、ステップ４１０、及びステップ４１４の処理により、正面振動パネル３９及び背面振動パネル４９双方に振動を与える場合を説明したが、正面振動パネル３９及び背面振動パネル４９のいずれか一方のみに振動を与えるようにしてもよい。
【０１４８】
また、上記説明では、上記ステップ４０６乃至ステップ４１４の処理により、正面震動パネル３９及び背面震動パネル４８への双方への接触が検知されると、ステップ４１６において静止画撮影処理が実行される場合を説明したが、正面震動パネル３９及び背面震動パネル４８何れか一方への接触が検知されることにより、ステップ４１６の静止画撮影処理が実行されるようにしてもよい。この場合、上記ステップ４０４のスルー画表示処理実行後、ステップ４０６乃至ステップ４０８の処理、またはステップ４１２及びステップ４１４の何れか一方の処理が行われた後に、ステップ４１６の動画撮影処理が実行されるようにすればよい。
【０１４９】
このように、正面震動パネル３９及び背面震動パネル４９のいずれか一方への接触検知により撮影処理が実行されことにより、接触未検知のパネルから音声を出力する場合、出力する音声データの音のブレを抑制することができる。
【０１５０】
なお、上記ステップ４１６の処理は、本発明の撮影手段の機能に相当する。また、ステップ４００、ステップ４０２、ステップ４１０、及びステップ４１８の処理は、本発明の制御手段の機能に相当する。
【０１５１】
次に、図１０には、上記ステップ１１８の通話処理の処理ルーチンを示した。
【０１５２】
ステップ５００では、上記ステップ３００と同様に、正面入出力部２２のスイッチ切り替え処理が実行される。ステップ５００の処理は、スイッチ７４をアクチュエータ６６と電力供給回路７６とが接続される側へ切り替えるたもの切り替え指示を示す信号を正面駆動部３８へ出力するものである。ステップ５００の処理によって、正面振動パネル３９は、音声を出力するスピーカ、または正面振動パネル３９が振動する振動板として機能するように切り替えられる。
【０１５３】
次にステップ５０２では、上記ステップ３０２と同様に、背面入出力部２４のスイッチ切り替え処理が実行される。ステップ５０２の処理によって、背面振動パネル４９は、音声信号を入力するマイクとして機能するように切り替えることができる。
【０１５４】
次にステップ５０４では、通信部２０を介して、外部と電話回線を介して音声データの送受信を行う通話処理が行われた後に本ルーチンを終了する。
【０１５５】
ステップ５０４の処理では、正面振動パネル３９から外部から受信した音声信号が出力されるとともに、背面振動パネル４９から音声信号が入力されことによって、通話処理が実行される。すなわち、ユーザは、正面振動パネル３９から音声を認識し、ユーザの音声は、背面振動パネル４９から携帯端末１０に取り込まれる。
【０１５６】
以上説明したように、本実施の形態の携帯端末１０によれば、正面振動パネル３９及び背面振動パネル４９へのユーザによる接触が検知されることにより撮影処理が実行されるので、撮影処理時に携帯端末１０が固定され、撮影処理時には正面振動パネル３９及び背面振動パネル４９がユーザによって保持された状態となり、撮影処理時のてぶれを抑制することができる。
【０１５７】
また、正面振動パネル３９及び背面振動パネル４９のいずれか一方へのユーザによる接触が検知されると、他方の（未接触の）正面振動パネル３９または背面振動パネル４９を振動させることができるので、撮影実行時にユーザに対して正面振動パネル３９及び背面振動パネル４９双方への接触を促すことができる。
【０１５８】
また、撮影時にユーザによって接触される正面振動パネル３９及び背面振動パネル４９自体を振動させることができるので、ユーザに対して確実な感覚を提供することができる。
【０１５９】
また、従来、表示手段としてのみ使用される正面入出力部２２及び背面入出力部２４に、振動の発生、音声の出力（スピーカ機能）、及び音声の入力（マイク機能）機能を設け、スイッチ７４及びスイッチ９５の切り替えや、入力するデータの周波数を切り替えることによって、これらの機能を随時変更することができるので、マイク、スピーカ、及び振動出力のための装置を別途搭載する必要がなく、さらなる携帯端末１０の小型化を実現することができる。
【０１６０】
また、必要に応じてスイッチ７４及びスイッチ９５を切り替えることによって、正面入出力部２２及び背面入出力部２４のマイク機能と、スピーカ機能を容易に切り替えることができる。このため、入力する音声の明瞭度を高くすることが要求される方向に設けられた入出力部を、随時、マイクとして機能するようにスイッチを切り替えることができる。また、出力する音声の明瞭度を高くすることが要求される方向に設けられた入出力部を、随時、スピーカとして機能するように、容易に切り替えることができる。
【０１６１】
なお、本実施の形態では、上記ステップ１０４で肯定され、撮影モード指示がなされた後の、静止画撮影処理、動画撮影処理、及び自分撮り処理において、外部から通信部２０を介して音声データの送受信を要求する通話要求信号が携帯端末１０に送信（いわゆる、電話がかかってきた状態）された場合、正面振動パネル３９または背面振動パネル４９から振動または音声を発生することによって、通話要求信号の受信をユーザに対して報知するようにしてもよい。
【０１６２】
この場合、所定時間毎に、通信部２０を介して通話要求信号の受信がなされたか否か確認するようにすればよい。また、通信部２０を介して通話要求信号を受信した場合、スイッチ９５及びスイッチ７４の、アクチュエータ６６と電力供給回路７６の接続及びアクチュエータ８８と電力供給回路９６との接続状態を確認し、接続が確率されているスイッチを介して、正面振動パネル３９または背面振動パネル４９から振動または通話要求信号の受信を示すメッセージをユーザに対して振動や音声により報知するようにすればよい。なお、正面振動パネル３９または背面振動パネル４９を振動させる場合、一般的に知られているマナーモードとして機能することが可能である。
【０１６３】
なお、本実施の形態では、携帯端末１０において、電話モード、静止画撮影モード、動画撮影モード、及び自分撮りモードが実行された場合を説明したが、上記モード以外の機能を携帯端末１０に備えた場合についても、随時、スイッチ７４及びスイッチ９５、及び周波数を切り替えることによって、正面振動パネル３９及び背面振動パネル４９を随時スピーカまたは振動板として、またはマイクとして機能するように切り替えることで適用可能である。
【０１６４】
例えば、携帯端末１０の記憶部１８に記憶した音声データを再生する場合、記憶部１８に音楽データ再生用のプログラムを用意し、該当プログラムが実行されることによって、音声データを再生し、音声が正面振動パネル３９及び背面振動パネル４９から出力されるようにすればよい。この場合、上記ステップ２００及びステップ２０２で説明したように、スイッチ７４及びスイッチ９５を切り替えるようにすればよい。
［第２の実施の形態］
次に、本発明の第２の実施形態について説明する。第１の実施の形態では、撮影によって得られた静止画像や動画像を含む各種情報や操作指示のためのメニュー項目を表示するものとして、液晶表示媒体（正面ＬＣＤ４２及び背面ＬＣＤ４８）を使用する場合を説明したが、本実施の形態では、電子ペーパーを使用する場合を説明する。
【０１６５】
なお、本実施の形態は、上記第１の実施の形態と同様の構成のため、同一部分には同一符号を付与して詳細な説明を省略する。
【０１６６】
図１１に示すように、本実施の形態の携帯端末１１は、第１の実施の形態で示した携帯端末１０に設けられた正面ＬＣＤ４２及び背面ＬＣＤ４８に代えて、各々正面ＥＬ４３及び背面ＥＬ４５が設けられている。正面ＥＬ４３及び背面ＥＬ４５は、シート状に形成され、かつ表示した画像を電磁気的に書込及び消去が可能な、いわるゆ電子ペーパーで代用される表示媒体である。電子ペーパーの技術としては、粒子の回転、電気泳動、サーマルリライタブル、及び液晶などの技術を用いたものが多数知られている。本実施の形態では、正面ＥＬ４３及び背面ＥＬ４５として電気泳動を使用した技術を採用する。
【０１６７】
図１２に示すように、正面ＥＬ４３は、ＥＬ駆動部２３及び電子ペーパー２５から構成されている。電子ペーパー２５は、図示を省略した一対の基体シートに挟まれた一対の透明な電極２９と、一対の透明な電極２９に挟まれた多数の図示を省略したカプセルを含有した含有層とが積層された構成となっている。一対の透明な電極２９は、互いに直交する方向に格子状に配置されている。このような電子ペーパーによれば、ＥＬ駆動部２３から電極２９を介して電界が印可されることによって、図示を省略したカプセルが含有層内を移動し、画像を視認可能に提供することができるようになっている。
【０１６８】
なお、背面ＥＬ４５については、上記正面ＥＬ４３と同様の構成のため、説明を省略する。
【０１６９】
また、本実施の形態の携帯端末１１の作用は、上記携帯端末１０と同様のため、詳細な説明を省略する。
【０１７０】
なお、正面ＥＬ４３及び背面ＥＬ４５は、本発明の表示手段に相当する。
【０１７１】
このように、携帯端末１１の表示媒体として電子ペーパーを採用することによって、携帯端末１１のさらなる軽量化及び小型化を実現することが可能となる。
【０１７２】
【発明の効果】
以上説明したように本発明の携帯端末によれば、第１のタッチパネル及び第２のタッチパネルのいずれか一方へのユーザによる接触が検知されると、他方の（未接触の）第２のタッチパネルまたは第２のタッチパネルに振動を与えることができるとともに、第１のタッチパネル及び第２のタッチパネルへのユーザによる接触が検知されることにより、接触検知時点に撮影処理が実行されるので、撮影指示時点における携帯端末のぶれを回避することができ、意図する画像を容易に撮影することができる。
【図面の簡単な説明】
【図１】本発明の第１の実施の形態に係る携帯端末の電気的な概略構成を示すブロック図である。
【図２】本発明の第１の実施の形態に係る正面入出力部の構成を示すイメージ図である。
【図３】本発明の第１の実施の形態に係る背面入出力部の構成を示すイメージ図である。
【図４】携帯端末の外観の略正面からの斜視図である。
【図５】携帯端末の外観の略背面からの斜視図である。
【図６】携帯端末における処理の内容を示すフローチャートである。
【図７】静止画撮影処理における処理の内容を示すフローチャートである。
【図８】動画撮影処理における処理の内容を示すフローチャートである。
【図９】自分撮り処理における処理の内容を示すフローチャートである。
【図１０】通話処理における処理の内容を示すフローチャートである。
【図１１】本発明の第２の実施の形態に係る携帯端末の電気的な概略構成を示すブロック図である。
【図１２】本発明の第２の実施の形態に係る正面入出力部の構成を示すイメージ図である。
【符号の説明】
１０・…携帯端末
１１・…携帯端末
１２・…ＣＣＤ
３９・…正面振動パネル
４０・…正面押圧検知部
４６・…背面押圧検知部
４９・…背面振動パネル
７６・…電力供給回路
７８・…発生電力検出回路
９６・…電力供給回路
９７・…発生電力検出回路
【図１】
2004297251.tif 000003
【図２】
2004297251.tif 000004
【図３】
2004297251.tif 000005
【図４】
2004297251.tif 000006
【図５】
2004297251.tif 000007
【図６】
2004297251.tif 000008
【図７】
2004297251.tif 000009
【図８】
2004297251.tif 000010
【図９】
2004297251.tif 000011
【図１０】
2004297251.tif 000012
【図１１】
2004297251.tif 000013
【図１２】
2004297251.tif 000014